(57)【要約】      （修正有）【課題】閉鎖状で堅固で、造形美も兼ね備える箱を提供する。【解決手段】箱１０には、複数の載置部１０１〜１０５及び接合部１０６、１０６’、１０６”が成型される。各載置部及び接合部は、それぞれ順に連接されるように成型され、完全な片状の載置板体が形成される。各載置部及び各接合部は、凹むように折られた後、各載置部にそれぞれ成型される複数の固定部１０２２、１０２２’、係合部１０３１、１０３１’、及び係止部１０４１、１０４１’が対応する複数の第一係合孔１０２１、１０２１’、第二係合孔１０３２、１０３２’、第三係合孔１０５２、１０５２’、及び対応する係合部１０５１、１０５１’にそれぞれ取り付けられる。各載置部及び接合部が凹むように折られた後に、閉鎖状の箱が形成される。【選択図】図１
0003225462.tif 000002
【実用新案登録請求の範囲】
【請求項１】
第一載置部と、
一側が前記第一載置部の他側に連接され、且つ両端には第一係合孔及び複数の固定部がそれぞれ成型される第二載置部と、
両端に係合部及び第二係合孔がそれぞれ成型される第三載置部と、
両端に係止部がそれぞれ成型される第四載置部と、
両端に対応する係合部及び第三係合孔がそれぞれ成型される第五載置部と、を含む複数の載置部と、
前記第二載置部と前記第三載置部との間、前記第三載置部と前記第四載置部との間、及び前記第四載置部と前記第五載置部との間にそれぞれ連接される複数の接合部と、を備え、
前記複数の載置部は、前記複数の接合部により接合された後に片体状に形成され、且つ、前記複数の載置部及び前記複数の接合部が凹むように折られた後、前記第三載置部の２つの前記係合部が前記第五載置部の２つの前記対応する係合部と相互に係合され、且つ、前記第四載置部の２つの前記係止部が前記第二載置部の２つの前記第一係合孔とそれぞれ係止された後、前記第二載置部の複数の前記固定部が前記第三載置部の前記第二係合孔、及び前記第五載置部の前記第三係合孔とそれぞれ固定されるように係合され、各前記複数の載置部及び各前記複数の接合部が閉鎖状を呈する箱の態様を形成することを特徴とする箱。
【請求項２】
前記第一載置部の何れか一側が延伸されることにより複数の接着部が成型され、
前記複数の接着部は、前記第五載置部の何れか一側に接着されることを特徴とする請求項１に記載の箱。
【請求項３】
前記第二載置部の何れか１つの表面には発光装置を組み合わせるための組み合わせ孔が成型され、且つ、前記第三載置部及び前記第五載置部の表面には挿通孔がそれぞれ成型され、
前記２つの挿通孔には、両端にストラップを固設するための固設部がそれぞれ成型された前記ストラップが吊り輪態様を形成して挿通され、前記箱が灯籠態様を呈することを特徴とする請求項１に記載の箱。
【請求項４】
成型後の前記箱の上部及び底部には、スルーホールがそれぞれ成型され、
複数の前記箱は、スルーホールにより縦続連結されることを特徴とする請求項１に記載の箱。
【請求項５】
前記第二載置部の表面には、コインスロットが成型されることを特徴とする請求項１に記載の箱。
【請求項６】
各前記載置部と各前記接合部との間には、縦方向及び横方向に複数の折り筋がそれぞれ成型されることを特徴とする請求項１に記載の箱。
【請求項７】
前記第一載置部及び各前記連結部の表面には、複数のＶ字型折り筋がそれぞれ成型されることを特徴とする請求項１に記載の箱。  
【請求項８】
前記複数のＶ字型折り筋が加力されて湾曲された後、前記第一載置部及び各前記連結部の表面に陥没状を呈する穴または突起状を呈する面取りが形成されることを特徴とする請求項７に記載の箱。
【請求項９】
成型後の前記箱の外部の何れか一平面箇所には、第一の対応する粘着層を接着させるための第一粘着層が貼付されることを特徴とする請求項１に記載の箱。
【請求項１０】
前記第一粘着層の対応する他の平面には、第二の対応する粘着層を接着させるための第二粘着層が貼付されることを特徴とする請求項９に記載の箱。
【考案の詳細な説明】
【技術分野】
【０００１】
本考案は、折り畳まれ、凹むように折られた後に、閉鎖状に形成される箱に関する。
【背景技術】
【０００２】
キャンディボックス等の一般的な箱は、より多くの物品を詰め込めるようにするために、外形の変化が非常に限られている。また、これらキャンディボックスの構造はどれも組み合わせられる上蓋及び箱で構成され、外観から飴を入れた箱であると簡単に識別できる。しかし、構造の機能性は単純で、容器として使用されるのみである。
【考案の概要】
【考案が解決しようとする課題】
【０００３】
これらの箱は、模様が外表面に塗布されることにより全体的な美観を高めている。しかし、これらの模様は平面形態であり、全体的な外形の変化は限られており、消費者の購買意欲を刺激することはできなかった。一般的な箱は、食物や物品を保管することはできるが、外観が単調すぎるため、コレクションしたり鑑賞するほどの価値はない。また、消費者が容器内の物品を取り出した後に残った容器は、通常直接捨てられることになり、環境問題を引き起こすほか、資源の浪費にも繋がった。このため、食品容器に物品を入れるのみならず、鑑賞に値する価値があれば、消費者の購買意欲を刺激するのみならず、容器を有効的に再利用することも可能になり、実用性が高まる。
【０００４】
そこで、本考案者は、上記の欠点が改善可能と考え、鋭意検討を重ねた結果、合理的設計で上記の課題を効果的に改善する本考案の提案に到った。
【０００５】
本考案は、かかる事情に鑑みてなされたものであり、その目的とするところは、箱を提供することにある。すなわち、折り畳まれる、凹むように折られる等の工程を経た後に、閉鎖状の堅固な、造型美も兼ね備える箱が形成される。
【課題を解決するための手段】
【０００６】
上記課題を解決するために、本考案のある態様の箱は、
第一載置部と、
一側が前記第一載置部の他側に連接され、且つ両端には第一係合孔及び複数の固定部がそれぞれ成型される第二載置部と、
両端に係合部及び第二係合孔がそれぞれ成型される第三載置部と、
両端に係止部がそれぞれ成型される第四載置部と、
両端に対応する係合部及び第三係合孔がそれぞれ成型される第五載置部と、を含む複数の載置部と、
前記第二載置部と前記第三載置部との間、前記第三載置部と前記第四載置部との間、及び前記第四載置部と前記第五載置部との間にそれぞれ連接される複数の接合部と、を備える。
前記複数の載置部は、複数の前記接合部により接合された後に片体状に形成され、且つ前記複数の載置部及び前記複数の接合部が凹むように折られた後、前記第三載置部の２つの前記係合部が前記第五載置部の２つの前記対応する係合部と相互に係合される。また、前記第四載置部の２つの前記係止部が前記第二載置部の２つの前記第一係合孔とそれぞれ係止された後、前記第二載置部の複数の前記固定部が前記第三載置部の前記第二係合孔、及び前記第五載置部の前記第三係合孔とそれぞれ固定されるように係合され、各前記複数の載置部及び各前記複数の接合部が閉鎖状を呈する箱の態様を形成する。
【図面の簡単な説明】
【０００７】
【図１】本考案に係る箱の構成を説明する概略図である。
【図２】本考案の一実施形態に係る箱を説明する概略図（一）である。
【図３】本考案の一実施形態に係る箱を説明する概略図（二）である。
【図４】本考案の一実施形態に係る箱を説明する概略図（三）である。
【図５】本考案の組み立てられた箱を説明する概略図である。
【図６】本考案の他の実施形態に係る箱を説明する概略図（一）である。
【図７】本考案の他の実施形態に係る箱を説明する概略図（二）である。
【図８】本考案の他の実施形態に係る箱を説明する概略図（三）である。
【図９】本考案の他の実施形態に係る箱を説明する概略図（四）である。
【図１０】本考案の他の実施形態に係る箱を説明する概略図（五）である。
【図１１】本考案の他の実施形態に係る箱を説明する概略図（六）である。
【図１２】本考案の他の実施形態に係る箱を説明する概略図（七）である。
【図１３】本考案の他の実施形態に係る箱を説明する概略図（八）である。
【図１４】本考案の他の実施形態に係る箱を説明する概略図（九）である。
【図１５】図１４の組み合わせの実施を説明する概略図である。
【図１６】本考案の他の実施形態に係る箱を説明する概略図（十）である。
【考案を実施するための形態】
【０００８】
以下、本考案の実施の形態について、図面を参照して詳細に説明する。なお、本考案は以下の例に限定されるものではなく、本考案の要旨を逸脱しない範囲で、任意に変更可能であることは言うまでもない。
【０００９】
まず、図１を参照すれば、本考案に係る箱１０は、展開状態では片体状の板体となり、第一載置部１０１、第二載置部１０２、第三載置部１０３、第四載置部１０４、第五載置部１０５、及び複数の接合部（１０６、１０６’、１０６”）が成型される。第一載置部１０１の何れか一側が延伸されることにより、接着部１０１１が成型され、且つ第一載置部１０１の他側は第二載置部１０２の何れか一側に連接される。第二載置部１０２の両端の隣接する位置には、第一係合孔（１０２１、１０２１’）及び突起状を呈する複数の固定部（１０２２、１０２２’）がそれぞれ成型される。第三載置部１０３の両端には、係合部（１０３１、１０３１’）及び第二係合孔（１０３２、１０３２’）がそれぞれ成型される。第四載置部１０４の両端には、係止部（１０４１、１０４１’）がそれぞれ成型される。第五載置部１０５の両端には、対応する係合部（１０５１、１０５１’）及び第三係合孔（１０５２、１０５２’）がそれぞれ成型される。
【００１０】
また、複数の接合部（１０６、１０６’、１０６”）は、各載置部（１０１、１０２、１０３、１０４、１０５）の間にそれぞれ連接されるように成型される。前記接合部１０６は、第二載置部１０２と第三載置部１０３との間に連接されるように成型される。接合部１０６’は、第三載置部１０３と第四載置部１０４との間に連接されるように成型される。接合部１０６”は、第四載置部１０４と第五載置部１０５との間に連接されるように成型される。
【００１１】
図に示されるように、各載置部（１０１、１０２、１０３、１０４、１０５）及び各接合部（１０６、１０６’、１０６”）の間には縦方向及び横方向に複数の折り筋（１０７、１０８）が成型される。各載置部（１０１、１０２、１０３、１０４、１０５）及び接合部（１０６、１０６’、１０６”）は、横方向及び縦方向の折り筋により、凹むように折られる等の工程が行われる。また、第一載置部１０１及び各連結部（１０６、１０６’、１０６”）には、複数のＶ字型折り筋１０９がそれぞれ成型される。使用者が力を加えて湾曲させた後、第一載置部１０１及び各連結部（１０６、１０６’、１０６”）の表面に陥没状の穴または突起状の面取りが形成される。
【００１２】
図１及び図２を参照すれば、各載置部（１０１、１０２、１０３、１０４、１０５）は、複数の折り筋１０７が折り曲げられた後、全体がやや桶状に湾曲され、第一載置部１０１の接着部１０１１が第五載置部１０５の側辺に更に接着される。接着部１０１が第五載置部１０５の側辺に接着される態様は、図３に示す。また、図に示されるように、接着部１０１が第五載置部１０５の側辺に接着された後、第一載置部１０１及び各連結部（１０６、１０６’、１０６”）の表面に成型されるＶ字型折り筋１０９が折り曲げられ、第三載置部１０３の両端の係合部（１０３１、１０３１’）が第五載置部１０５の両端の対応する係合部（１０５１、１０５１’）に係止される。係止が完成した態様は、図４に示す。
【００１３】
図１乃至図３を参照すれば、第三載置部１０３の両端の係合部（１０３１、１０３１’）が第五載置部１０５の両端の対応する係合部（１０５１、１０５１’）に係止された後、第二載置部１０２の固定部（１０２２、１０２２’）と第二係合孔（１０３２、１０３２’）及び第三係合孔（１０５２、１０５２’）とがそれぞれ固定されるように係止され、第二載置部１０２と他の部材との組み合わせ強度が高まる。係止部（１０４１、１０４１’）と第一係合孔（１０２１、１０２１’）とが固定されるように係止され、本考案が球体の態様に形成される。本考案全体が組み合わせられた態様は、図５に示される。主に全体が球体状の態様を呈し、且つ箱１０の内部は閉鎖状を呈する。
【００１４】
本考案は、球体の外観に他の装飾部材が更に組み合わせられて全体的な外観が装飾される（図６参照）。図に示されるように、外部の何れか一平面箇所には、面ファスナーである第一粘着層１４が貼付され、第一の対応する粘着層１４１が接着される。第一の対応する粘着層１４１の何れか一面は対応する面ファスナーを有し、他面には模様や文字が成型される。第一の対応する粘着層１４１は、対応する面ファスナーを有する一面が第一粘着層１４に接着され、第一の対応する粘着層１４１が箱１０の外部の何れか一平面箇所に貼着される。本図面に示す第一の対応する粘着層１４１のように、他面に成型される模様は動物の顔である。第一の対応する粘着層１４１が箱１０の外部に貼付されると、箱１０全体の外観が更にユニークになり、美観も高まる。
【００１５】
また、図７を参照すれば、本考案は、第一粘着層１４の対応する他の平面に第二粘着層１５が更に貼付され、第二粘着層１５は第二の対応する粘着層１５１により接着される。本図面に示されるように、第二の対応する粘着層１５１に成型される模様はしっぽの模様である。接着が完了した後に、第一の対応する粘着層１４１の模様に対応し、箱１０の外観が更に美しく、ユニークなものになる。
【００１６】
また、図８を参照すれば、第二の対応する粘着層１５１に成型される模様は他の形式で表現されてもよい。例えば、第一粘着層１４の対応する他の平面に切り線１６が成型され、前記切り線１６が模様形状の形式で表現されてもよい。例えば、切り線１６がしっぽ形状を呈して、切り線１６に沿って立てられた後に、立体的なしっぽの態様が形成されてもよい。
【００１７】
また、図９、図１及び図６を参照すれば、箱１０の何れか一平面に第一の対応する粘着層１４１が貼付された後、何れか２つのＶ字型折り筋１０９が加力されて湾曲され、突起状を呈する面取りＡが形成される。２つの面取りＡが第一の対応する粘着層１４１の動物の模様と組み合わせられ、動物の耳の態様として形成される。
【００１８】
また、図１０、図１及び図６を参照すれば、箱１０のうちの何れか一平面に第一の対応する粘着層１４１が貼付される。その後、箱１０の底部の４つのＶ字型折り筋１０９が加力されて湾曲され、突起状の面取りＢが形成される。４つの面取りＢが第一の対応する粘着層１４１の動物の模様と組み合わせられ、動物の四肢の態様として形成される。
【００１９】
また、図１１、図１及び図６を参照すれば、箱１０のうちの何れか一平面に、第一の対応する粘着層１４１が貼付される。その後、箱１０の上部の２つのＶ字型折り筋１０９及び底部の４つのＶ字型折り筋１０９がそれぞれ加力されて湾曲され、突起状の面取りＡ及びＢが形成される。２つの面取りＡ及び４つの面取りＢが第一の対応する粘着層１４１の動物の模様と組み合わせられ、動物の耳及び四肢の態様として形成される。
【００２０】
また、図１２を参照すれば、箱１０の上部の何れか１つのＶ字型折り筋１０９、及び底部の４つのＶ字型折り筋１０９がそれぞれ加力されて湾曲され、突起状の面取りＡ及びＢが形成される。箱１０全体の外観が動物の四肢に特殊な角が加えられた造型を呈する。箱１０の外部の平面に対応する模様が成型され、特殊な造型の動物のような外観が形成される。
【００２１】
また、図１３を参照すれば、本考案は第二載置部１０２の表面にコインスロット１０２３が更に成型される。これにより、使用者はコインスロット１０２３からコインを投入可能となり、箱１０が貯金箱として使用可能となる。
【００２２】
また、図１４を参照すれば、箱１０の第二載置部１０２の表面には、一組み合わせ孔１０２４が成型され、且つ第三載置部１０３及び第五載置部１０５の表面には挿通孔（１０３３、１０５３）がそれぞれ成型される。また、図１５を参照すれば、箱１０は凹むように折られて成型された後、組み合わせ孔に発光装置１２が組み合わせられ、且つ２つの挿通孔（１０３３、１０５３）にはストラップ１７がそれぞれ組み合わせられる。ストラップ１７の両端には固設部１７１がそれぞれ成型され、２つの固設部１７１が２つの挿通孔（１０３３、１０５３）内にそれぞれ固設されることにより、ストラップ１７が吊り輪態様を形成する。使用者がこれを持つと、発光装置１２の発光効果により箱１０が灯籠態様を形成する。
【００２３】
また、図１６を参照すれば、本考案は更に成型後の箱１０の上部及び底部にスルーホール（１３、１３’）がそれぞれ成型される。複数の箱（１０、１０’等）がスルーホール（１３、１３’）により縦続連結される。複数の箱（１０、１０’等）が縦続連結された後の態様は、本図面に示す。
【００２４】
上述のように、本考案は実施後に折り畳まれる、凹むように折られ等の工程を経た後、造型を有する閉鎖状の堅固な箱として形成されるという目的を確実に達成させる。
【００２５】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００２６】
１０  箱
１０’  箱
１０１  第一載置部
１０２  第二載置部
１０１１  接着部
１０２１  第一係合孔
１０３  第三載置部
１０２１’第一係合孔
１０３１  係合部
１０２２  固定部
１０２４  取付穴
１０３１’係合部
１０２２’固定部
１０３２  第二係合孔
１０３３  挿通孔
１０２３  コインスロット
１０３２’  第二係合孔
１０４  第四載置部
１０５  第五載置部
１０４１  係止部
１０５１  対応する係合部
１０４１’  係止部
１０５１’  対応する係合部
１０６  接合部
１０５２  第三係合孔
１０５３  挿通孔
１０６’  接合部
１０５２’  第三係合孔
１０６”  接合部
１０７  折り筋
１０８  折り筋
１０９  Ｖ字型折り筋
１２  発光装置
１３  スルーホール    
１４  第一粘着層
１３’スルーホール    
１４１  第一の対応する粘着層
１５  第二粘着層
１６  切り線
１７  ストラップ
１５１  第二の対応する粘着層
１７１  固設部
Ａ  面取り
Ｂ  面取り
【図１】
0003225462.tif 000003
【図２】
0003225462.tif 000004
【図３】
0003225462.tif 000005
【図４】
0003225462.tif 000006
【図５】
0003225462.tif 000007
【図６】
0003225462.tif 000008
【図７】
0003225462.tif 000009
【図８】
0003225462.tif 000010
【図９】
0003225462.tif 000011
【図１０】
0003225462.tif 000012
【図１１】
0003225462.tif 000013
【図１２】
0003225462.tif 000014
【図１３】
0003225462.tif 000015
【図１４】
0003225462.tif 000016
【図１５】
0003225462.tif 000017
【図１６】
0003225462.tif 000018